(57)【要約】 【課題】  地中への突き刺し作業並びに土の掘り起こし作業を効率的に行うことのできる土起こし器具（農具）を提供する。【解決手段】  フォーク状の刺突部１と前記刺突部１と連結した長柄部２とを備えた土起こし器具において、刺突部１における適宜な上方位置背面に、左右張出杆３１と張出杆３１の先端を連結する足踏横杆３２でコの字状とした副杆部３を突設してなるもので、地中突き刺し作業時には、足踏横杆３２を踏み付けて足の力を利用し、掘り起こし作業時には足踏横杆３２を梃子の支点として使用する。【選択図】図１
2012165698.tif 000002
【特許請求の範囲】
【請求項１】
フォーク状の刺突部と前記刺突部と連結した長柄部とを備えた土起こし器具において、刺突部における適宜な上方位置背面に、左右張出杆と張出杆の先端を連結する足踏横杆でコの字状とした副杆部を突設してなることを特徴とする土起こし器具。
【請求項２】
副杆部における張出杆を、下方傾斜の弧状に形成してなる請求項１記載の土起こし器具。
【請求項３】
副杆部における張出杆が、刺突部の両外側の刺突縦杆に連結してなる請求項１又は２記載の土起こし器具。
【発明の詳細な説明】
【技術分野】
【０００１】
本発明は、作物栽培のための畝を形成したり、芋等の根菜類の掘り起こしに使用する手持ち農具である土起こし器具に関するものである。
【背景技術】
【０００２】
土起こし器具（農具）は、フォーク状の先端刺突部と長柄部とを備え、先端刺突部を地面に差し入れ、長柄部を倒伏するようにして先端刺突部で土を掘り起こすようにしている。
【０００３】
また前記の土掘り起こし動作において、先端刺突部に大きな力が作用するように、梃子構造を付設することが従前より提案されている。
【０００４】
例えば特許文献１（実公昭３９−４６７４号公報）には、先端刺突部の基方近傍に、梃子支点となる台座を移動着脱自在に設けている器具が開示されている。
【０００５】
また特許文献２（実用新案登録３０８７２３２号公報）には、長柄部における刺突部近傍に梃子金物（支点となる突出部）を設けた器具が開示されている。
【０００６】
更に特許文献３（登録意匠１２８５７２６号公報）には、コの字状の長柄部の下方に刺突部を連設すると共に、長柄部における刺突部近傍に背面にフォーク方向と平行な膨出縦杆と、膨出縦杆を連結する膨出横杆を設け、前記膨出横杆を梃子支点としている器具が開示されている。
【先行技術文献】
【特許文献】
【０００７】
【特許文献１】実公昭３９−４６７４号公報。
【特許文献２】実用新案登録３０８７２３２号公報。
【特許文献３】登録意匠１２８５７２６号公報。
【発明の概要】
【発明が解決しようとする課題】
【０００８】
前記の通り土起こし器具においては、土起こし作業時に必要とする力を軽減するために、刺突部を地面に突き刺した後の土起こし作業時に梃子として作用する部分を付設した器具は公知であるが、その具体的構成が不適切で、必ずしも使いやすい器具とはなっていない。
【０００９】
土起こし器具は、地面に突き刺した後の器具による土起こし動作と共に、刺突部の地面への押し込み動作においても相応の力を必要とする。
【００１０】
しかし特許文献１記載の器具においては、鍬形の形状のために振り上げられる刺突部に付属部材が存在すると、振りあげ動作のバランスを崩す虞があるし、刺突部の重量化を伴い振り上げ動作（刺突部による地面への押し込み動作）が必ずしもスムーズになされない。
【００１１】
また特許文献２に開示されているように長柄部に梃子金具を付設するものは、刺突部の地面への押し込み動作において、この梃子金具が邪魔になってしまう。
【００１２】
更に特許文献３に開示されている器具のように、刺突部の地面への押し込み動作に際して足踏み個所を備えていても、梃子作用の支点を形成する膨出横杆が、刺突部より上方に位置し、器具を相当に傾斜させて棒出横杆を接地させないと、梃子として作用しないので、実質的に土起こし作業時の梃子機能としては働かない。
【００１３】
そこで本発明は、地面への突き刺し動作時も、また土起こし動作時共に、有効に機能する梃子部分を備えた新規な土起こし器具を提案したものである。
【課題を解決するための手段】
【００１４】
本発明（請求項１）に係る土起こし器具は、フォーク状の刺突部と前記刺突部と連結した長柄部とを備えた土起こし器具において、刺突部における適宜な上方位置背面に、左右張出杆と張出杆の先端を連結する足踏横杆でコの字状とした副杆部を突設してなることを特徴とするものである。
【００１５】
而して前記の器具による土起こし作業は、通常の器具と同様に刺突部（刺突縦杆）を地面に突き刺し、その後長柄部を傾斜させて刺突部による土の掘り起こしを行うものであるが、特に本発明器具では、刺突部による地面の突き刺し作業に際して、コの字状の副杆部の足踏横杆を足で踏み付けることで、刺突部の地面への突き刺しを容易にし、更に土の掘り起こし作業に際しては、副杆部の足踏横杆が地面に接して梃子作用の支点となるので、軽い力で作業を行うことができる。
【００１６】
また本発明（請求項２）は、更に前記器具において、特に副杆部における張出杆を、下方傾斜の弧状に形成してなるもので、地面突き刺し作業終了時（土の掘り起こし作業開始時）には、副杆部の足踏横杆が地面に接しているので、掘り起こし作業は当初から梃子作用を利用することができる。
【００１７】
更に本発明（請求項３）は、前記器具において、特に副杆部における張出杆が、刺突部の両外側の刺突縦杆に連結してなるもので、土の掘り起こし作業時に支点となる副杆部の足踏横杆が長くなって、足踏横杆が地面に潜ってしまう虞が少なく、掘り起こし作業を効率的に行うことができる。
【発明の効果】
【００１８】
本発明の構成は上記のとおりで、刺突部の背面側に設けた副杆部の足踏横杆が、地面への突き刺し作業時には足踏み部となり、掘り起こし作業時には梃子作用の支点として働くもので、より使い易い器具を提供できたものである。
【図面の簡単な説明】
【００１９】
【図１】本発明の要部斜視図。
【図２】同使用状態の説明図（地面への突き刺し作業時）。
【図３】同図（土の掘り起こし作業時）。
【発明を実施するための形態】
【００２０】
次に本発明の実施形態について説明する。実施形態施に示した器具は、基本的に従前の器具と同様にフォーク状の刺突部１と前記刺突部１と連結した長柄部２とを備えたものである。
【００２１】
刺突部１は、複数の刺突縦杆１１，１２，１３，１４で形成されるもので、上端の横杆１５に柄連結部１６を設けてなり、長柄部２を連結し、特に背面側に副杆部３を突設してなるものである。
【００２２】
副杆部３は、コの字状で、左右の張出杆３１と張出杆３１の先端を連結する足踏横杆３２で形成されるもので、張出杆３１は、刺突部１の両外側の刺突縦杆１１，１４における横杆１５の近傍に連結（熔着）されると共に、下方傾斜の弧状としたものである。
【００２３】
前記の器具による土起こし作業は、刺突部１の地中Ａへの突き刺し、突き刺した刺突部１を煽り操作しての土の掘り起こしを行うもので、前記の突き刺し作業に際しては、図２に示すように足踏横杆３２を足で強く踏み付けながら行うことで、地中Ａへの突き刺しが容易になされる。
【００２４】
特に足踏横杆３２の高さが、刺突部１の横杆１５よりも下方に位置することになるので、前記の突き刺し作業終了時には、足踏横杆３２が地表Ｂと当接することになる。
【００２５】
そして次の掘り起こし作業は、図３に例示する通り長柄部２を倒伏させて、刺突部１で土を掘り起こすもので、この掘り起こし作業では、足踏横杆３２が地表Ｂに当接して支点となり、長柄部２の倒伏力が小さくても、刺突部１には大きな掘り起こし力が働き、掘り起こし作業が容易になるものである。
【００２６】
以上のように本発明器具は、刺突部１の背面に、刺突部の地中突き刺し時に地表と接する足踏横杆を備えた副杆部を突設した土起こし器具で、地面への突き刺し作業並びに土起こし作業が効率的に行うことができるものである。
【符号の説明】
【００２７】
１    刺突部
１１，１２，１３，１４  刺突縦杆
１５    横杆
１６    柄連結部
２      長柄部
３      副杆部
３１    張出杆
３２    足踏横杆
【図１】
2012165698.tif 000003
【図２】
2012165698.tif 000004
【図３】
2012165698.tif 000005